(57)【要約】  【課題】釣り糸に、うきを取り付ける多くの場合、ゴム管を使用しているが、このゴム管が経年変化によりひび割れて、使用できない場合が生じた。  【解決手段】浮力を発生させるうき本体２と、うき本体２に接続されて釣り糸１が移動可能に取り付けられる取付部材３とからなり、釣り糸１を細長弾性部材を用いて取付部材３に取り付けて使用する釣り用具であって、取付部材３が、細長弾性部材を掛ける掛止部３ａと、掛止部３ａに掛けられる細長弾性部材が釣り糸１を押さえた状態にして巻回される巻回部３ｂとを備えてなる。【選択図】図２
2005261392.tif 000002
【特許請求の範囲】
【請求項１】
浮力を発生させるうき本体と、うき本体に接続されて釣り糸が移動可能に取り付けられる取付部材とからなり、釣り糸を細長弾性部材を用いて取付部材に取り付けて使用する釣り用具であって、
取付部材が、細長弾性部材を掛ける掛止部と、掛止部に掛けられる細長弾性部材が釣り糸を押さえた状態にして巻回される巻回部とを備えてなる釣り用具。
【請求項２】
取付部材が板状部材からなり、掛止部が板状部材の下端部の下面に又は側面に開口して板状部材のほぼ長手方向に形成される細長弾性部材の厚みにほぼ等しい幅の細隙からなり、巻回部が細隙より上方位置の板状部材の両側面に設けられた少なくとも対をなす切欠からなる請求項１記載の釣り用具。
【請求項３】
うき本体と取付部材とが一体に形成され、巻回部がその下端近傍に下端の外形寸法より小さくした環状溝からなり、掛止部をその環状溝と下端との間の部分を環状溝の底部に達するまで一部切り欠いて形成してなる請求項１記載の釣り用具。
【請求項４】
掛止部が、複数の突出部分を有する請求項１記載の釣り用具。
【請求項５】
うき本体が、複数のうき部材からなる請求項１又は２記載の釣り用具。
【請求項６】
細長弾性部材が、輪ゴムである請求項１〜５のいずれか記載の釣り用具。
【発明の詳細な説明】
【技術分野】
【０００１】
本発明は、釣り糸の途中に取り付けて浮かせ、釣り針の深さを一定に保ったり、その動きで魚信を見たりするうきとしての釣り用具に関するものである。
【背景技術】
【０００２】
従来、釣りをする場合、釣り糸の先端に釣り針を取り付け、その上側に錘を取り付け、錘の上側にうきを取り付ける。このようなうきとしては、例えば特許文献１に記載のものが知られている。この特許文献１に記載のうきは、うき本体の下端に、自在屈曲部材を取り付け、その自在屈曲部材の下端にゴム管装着棒を取り付け、ゴム管装着棒の下端に設けられた掛止リングに釣り糸を通して移動うきとして使用するものである。また、この特許文献１のうきは、ゴム管装着棒を釣り糸に挿通されたゴム管に装着することにより、固定うきとして使用することができるものである。
【特許文献１】特開平７−３１３０２８号公報
【発明の開示】
【発明が解決しようとする課題】
【０００３】
ところで、上述したうきに限らず、一般的に普及している固定うきは、釣り糸の挿通したゴム管に、うきの部分をなす細長い棒を差し込んで釣り糸に取り付けるものがよく知られている。このような構成のものでは、ゴム管が経年変化により、ひびが入り弾性力が低下してもろくなることがある。このような状態になると、釣り場に到着した後、うきを釣り糸の取り付けようとしてうきの細長い棒をゴム管に差し込んだ際にゴム管が割れて、うきを釣り糸に取り付けられないことが発生した。
【０００４】
本発明は、以上のような不具合を解消するためになされたものである。
【課題を解決するための手段】
【０００５】
すなわち、本発明の釣り用具は、浮力を発生させるうき本体と、うき本体に接続されて釣り糸が移動可能に取り付けられる取付部材とからなり、釣り糸を細長弾性部材を用いて取付部材に取り付けて使用する釣り用具であって、取付部材が、細長弾性部材を掛ける掛止部と、掛止部に掛けられる細長弾性部材が釣り糸を押さえた状態にして巻回される巻回部とを備えてなる構成である。
【０００６】
うき本体としては、特に形状は限定されないが、表面が滑らかで藻や水中の浮遊物が付着せず、複数を重ねて使用する場合に相互に重なりやすい形状のものが好ましい。具体的には、うき本体としては、例えば円環状のもの、球、立方体、直方体、正多面体などをうき部材として、そのうき部材を棒体もしくは糸部材により集合しておくものである。また、浮力を十分に得るためには、うき本体は、比重が１以下の材質が好ましく、例えば、各種の軽量合成樹脂、木材、竹、コルクなどが挙げられる。
【０００７】
同様に、取付部材にあっても、うき本体に接続されることにより全体としてうきになるものであるので、強度を維持できる比重が１以下の材質のものが好ましい。
【０００８】
このような構成であれば、取付部材の掛止部に細長弾性部材を掛けて、釣り糸を巻回部に押し当てた状態で細長弾性部材を巻回部に巻回すると、細長弾性部材が釣り糸を押さえることになる。これによって、釣り糸に釣り用具を移動可能に取り付けることが可能になる。
【０００９】
細長弾性部材を掛止しやすく、かつ取れにくくするためには、取付部材が板状部材からなり、掛止部が板状部材の下端部の下面に又は側面に開口して板状部材のほぼ長手方向に形成される細長弾性部材の厚みにほぼ等しい幅の細隙からなり、巻回部が細隙より上方位置の板状部材の両側面に設けられた少なくとも対をなす切欠からなるものが好ましい。
【００１０】
釣り糸を押さえる細長弾性部材の巻回を容易にし得るようにするためには、うき本体と取付部材とが一体に形成され、巻回部がその下端近傍に下端の外形寸法より小さくした環状溝からなり、掛止部をその環状溝と下端との間の部分を環状溝の底部に達するまで一部切り欠いて形成してなるものが好ましい。この場合、巻回した細長弾性部材が、取付部材の表面からはみ出さない深さに環状溝を形成するものが望ましい。
【００１１】
細長弾性部材の掛止を容易にするためには、掛止部が、複数の突出部分を有するものが好ましい。
【００１２】
浮力の調整を容易にするためには、うき本体が、複数のうき部材からなるものが好ましい。この場合、それぞれのうき部材は同一のものでも、異なるものであってもよい。
【００１３】
細長弾性部材としては、輪ゴムが好適である。細長弾性部材は、例えば糸状のゴムであってよく、入手の容易性を考慮した場合、日常よく使用されている輪ゴムが好ましい。
【発明の効果】
【００１４】
本発明は、以上説明したように、取付部材の掛止部に細長弾性部材を掛けて、釣り糸を巻回部に押し当てた状態で細長弾性部材を巻回部に巻回すると、細長弾性部材により釣り糸が押さえられるので、釣り糸に釣り用具を移動可能に取り付けることができる。
【発明を実施するための最良の形態】
【００１５】
以下、本発明の第一実施形態を、図１〜２を参照して説明する。
【００１６】
この実施形態の釣り用具１００は、使用に際しては釣り糸１の所定位置すなわち釣り糸１に取り付けられた錘より上側の位置において固定されるもので、浮力を発生させるうき本体２と、うき本体２に接続されて釣り糸１が移動可能に取り付けられる取付部材３とからなり、細長弾性部材である輪ゴム４を用いて釣り糸を取付部材３に取り付けるものである。細長弾性部材としては、輪ゴム４のほかに、輪ゴム４と同様な太さのひも状のゴムであってもよい。
【００１７】
うき本体２は、例えば軽量合成樹脂製の複数の環状うき部材２ａと、環状うき部材２ａを集合する棒部材２ｂとからなる。この実施形態にあっては、棒部材２ｂは取付部材３と一体に形成されるものである。棒部材２ｂは、その先端部分に、棒部材２ｂに取り付けた環状うき部材２ａが抜け落ちないようにする栓部材であるナット２ｃが着脱可能に取り付けられるようになっている。具体的には、棒部材２ｂの先端部分に雄ねじ部２ｂｂを形成しておき、その雄ねじ部２ｂｂにナット２ｃが螺合して、環状うき部材２ａの抜け落ちを止めている。ナット２ｃの代わりに、内側に雌ねじが形成された部材を使用するものであってもよい。環状うき部材２ａは、円板の中央に、棒部材２ｂが貫通するに十分な貫通孔２ｄを設けたもので、少なくとも一つを棒部材に取り付ければよく、錘の重量に応じて増加するものであってよい。なお、この実施の形態においては、環状うき部材２ａを円環状のものとしたが、三角形、四角形、多角形であってもよい。そして、複数の環状うき部材２ａを同時に使用する際に、形状の異なるものを使用するものであってもよい。図中、２ｅは、ナット２ｃを締め付ける際の座金相当部材である。このような座金相当部材２ｅにあっても、浮力を発生させる素材により形成するものであってよい。また、このような環状うき部材２ａにあっては、その大きさにより使用時に釣り糸１と干渉する可能性がある場合には、その一部を中央付近まで切り欠いて、その部分に釣り糸１が位置することで、干渉を回避するものであってよい。
【００１８】
取付部材３は、例えば軽量合成樹脂製で、板状部材３１からなる。取付部材３は、魚信があって釣り糸１を引き上げる際に水が抵抗とならないように、輪ゴム４を掛止して巻回するほぼ最小限の大きさであってよい。この第一実施形態では、取付部材３の上端に、うき本体２を構成する棒部材２ｂが一体に形成してあり、その下端に輪ゴム４を掛止する掛止部３ａである細隙３１ａを備えるとともに、細隙３１ａより上方位置の板状部材３１の両側面に設けられた巻回部３ｂを構成する少なくとも対をなす切欠３１ｂを備えている。板状部材３１は、その幅が厚さに比較して大であり、細隙３１ａを形成しても、その細隙３１ａを形成した部分は細隙３１ａのない部分と変わらない強度を備えている。この第一実施形態において、細隙３１ａは、板状部材３１の下面３１ｃに開口して、幅方向の中央付近にまで達するように、板状部材３１の長手方向の軸線に対して斜めに形成してある。細隙３１ａは、輪ゴム４の厚みとほぼ等しい幅であり、挿入された輪ゴム４が力を加えない状態つまり細隙３１ａに沿って引かない限り脱落しないように構成してある。巻回部３ｂは、この実施形態では、細隙３１ａの上位置に、板状部材３１の側面３１ｄを内側に向かってほぼ三角形状に切り欠いた１対の切欠３１ｂからなる。
【００１９】
このような構成において、釣り糸１にこの釣り用具１００を取り付ける場合は、最初に細隙３１ａに輪ゴム４を装着しておく。次に、巻回部３ｂに釣り糸１を密着させた状態で、輪ゴム４の細隙３１ａに掛止されていない部分のうち、細隙３１ａから最も遠い部分を持って輪ゴム４を弾性限界内で引き延ばし、延ばした状態で輪ゴム４を少なくとも一対の切欠３１ｂに掛けるようにして、板状部材３１に巻回する。そして、輪ゴム４が釣り糸１を板状部材３１に押さえ付けた状態になったところで、輪ゴム４を改めて細隙３１ａに挿入つまり引っかけて、巻回した輪ゴム４が巻き戻らない状態にする。これにより、輪ゴム４の弾性力を釣り糸１に作用させて釣り糸１を板状部材３１に押さえ付け、釣り糸１に対して移動可能に釣り用具１００を取り付けるものである（図２に示す）。
【００２０】
このように、輪ゴム４が１本あればその輪ゴム４の弾性力を利用して、釣り用具１００を釣り糸１に取り付けることができるので、釣り場に到着してから釣りができなくなると言った状況を極めてまれにすることができる。また、環状うき部材２ａを増減することができるので、釣りの状況に応じて浮力を調整することができる。しかも、輪ゴム４の弾性力により釣り糸１に釣り用具１００を取り付けているので、釣り糸１に対する取付位置を、釣り用具１００を引っ張るだけで移動させることができる。また、板状部材３１の厚みが薄いので、釣り用具１００に取り付けられた際に、釣り糸１が板状部材３１の厚み方向の中央近傍に位置するものであるので、使用中の魚信がない状態で釣り用具１００が傾斜することを防止することができる。さらには、輪ゴム４は、細隙３１ａに掛止してあるだけであるので、使用後は取り外して、経年変化を起こしにくい環境で保存することができる。
【００２１】
なお、掛止部３ａである細隙３１ａは、上述のように取付部材３である板状部材３１の下面３１ｃに開口して斜め上方に形成するもののほかに、図３の（ａ）に示すように、板状部材３１の下面３１ｃに開口して、板状部材３１の長手方向の軸線に沿って上方に直線的に形成する細隙１０３１ａ、あるいは図３の（ｂ）に示すように、板状部材３１の一方の側面３１ｄに開口して、板状部材３１の長手方向の軸線に沿って上方又は下方に直線的に形成する細隙１１３１ａであってもよい。図３の（ａ）に図示した細隙１０３１ａにあっては、その下端側すなわち細隙１０３１ａの入口側に輪ゴム４の脱落を防止する凸部１０３１ａａが設けてある。このような凸部１０３１ａａを設ける場合、細隙１０３１ａの幅は、輪ゴム４の厚みよりも大であってよく、細隙１０３１ａの両側部分は相互に相寄るように付勢されるものであってもよい。また、図３の（ｂ）に示す取付部材３にあっては、細隙１１３１ａが巻回部３ｂの上側位置に形成されるとともに、下面３１ｃに開口する下側の細隙１１３２ａが巻回部３ｂの下側位置に形成される構成である。加えて、図３の（ａ）及び（ｂ）に示す例にあっては、巻回部３ｂの切欠１１３１ｂの形状を四角形状とするものである。
【００２２】
次に、本発明の第二実施形態を、図４〜５を参照して説明する。
【００２３】
この第二実施形態の釣り用具２００は、例えば軽量合成樹脂製で、うき本体２０２と取付部材２０３とが一体に形成されている。この釣り用具２００は、うき本体２０２と取付部材２０３とは中実のほぼ円柱形状をしており、取付部材２０３に対応する部分の下端部２０３ｃに、掛止部２０３ａと巻回部２０３ｂとが設けてある。なお、この第二実施形態では、うき本体２０２と取付部材２０３とを形成する円筒形状の部材の長手方向の中心には釣り糸１を挿通するに十分な内径の、上端から下端に至る貫通孔２０５が形成してある。この貫通孔２０５を用いて、釣り用具２００を釣り糸１に取り付けることもできる。
【００２４】
巻回部２０３ｂは、下端部２０３ｃに設けられた環状溝２３３ｂからなる。この環状溝２３３ｂは、例えばその断面形状がほぼ直角三角形のような形状であり、その内隅部２３３ｂａが可能な限り取付部材２０３の長手方向の中心軸に接近するようにその深さを設定してある。ただし、巻回部２０３ｂにおける最低限の強度を維持することができるようにしておく。
【００２５】
このような巻回部２０３ｂに対して、環状溝２３３ｂより下側の円筒形状部分に、中心軸を中心にして１８０°離間した位置において、その周壁部分２０３ｄを例えば中心軸に向かうように切り欠くことにより一対の掛止用切欠２３３ａを形成して掛止部２０３ａを設けている。この掛止部２０３ａを構成する掛止用切欠２３３ａは、釣り糸１に取り付けた際に釣り糸１が可能な限り中心軸に近づくようにするために、環状溝２３３ｂの内隅部２３３ｂａに達する深さにしてある。なお、この第二実施形態においては、掛止部２０３ａを二カ所に設けているが、掛止用切欠２３３ａを一カ所にしたもの、あるいは三カ所以上にして輪ゴム４の掛止の選択幅を拡大するものであってもよい。
【００２６】
このような構成において、釣り用具２００は、釣り糸１に対する取付位置を決定後、図５に示すように、その取付位置に一方の掛止用切欠２３３ａをあてがい、掛止用切欠２３３ａに輪ゴム４を引っかける。そして、輪ゴム４を弾性限界内で引っ張っりながら、釣り糸１の上から環状溝２３３ｂ内に輪ゴム４を巻回する。この後、輪ゴム４をいずれかの掛止用切欠２３３ａに引っかけて、輪ゴム４が環状溝２３３ｂから外れないようにする。したがって、この第二実施形態にあっても、上述の第一実施形態と同じ作用効果を得るものである。
【００２７】
なお、上記第一実施形態では、取付部材３にうき本体２を構成する棒部材２ｂを一体に形成したものを説明したが、取付部材の上端部分を例えば木ねじあるいはタッピングねじの形状にしておき、環状うき部材などのうき部材を直接に取付部材に取り付ける構造とするものであってもよい。
【００２８】
本発明の第三実施形態を図６に示す。図６に示す釣り用具３００は、うき本体３０２と取付部材３０３とを一体に形成して、全体形状を魚の形状を模倣した形状にしたものであり、掛止部３０３ａ及び巻回部３０３ｂとしては、魚の形状の尾びれ部分を対応させている。
【００２９】
具体的には、例えば軽量合成樹脂製の板状の取付部材３０３の下端部に、対をなす突出部分３５３ａからなる掛止部３０３ａを設け、その掛止部３０３ａの上側に掛止部３０３ａの全幅寸法に比較して極端に小なる幅寸法にした巻回部３０３ｂを設けている。掛止部３０３ａは、例えば下側が上側の比べて少し長い長辺の台形あるいはほぼ長方形の、その下側の辺（縁）の中央から上側の辺に向けて三角形状に切り取って間隙３０３ａａを形成することにより、中央から両側に突出する突出部分３５３ａを一対形成するものである。なお、この突起部分３５３ａの形状については、図示したものに限定されるものではなく、各種の形状のものを適用することができるとともに、その数についても２個以上であってよい。
【００３０】
又、巻回部３０３ｂは、掛止部３０３ａを形成するための上側の辺の長さの幅寸法を有してなり、その上方に連続する取付部材３０３の残余部分の幅寸法より小さくしてある。したがって、この取付部材３０３全体を見た場合、この巻回部３０３ｂにおいて幅寸法が他の部分に比較して小さくなっているので、輪ゴム４を巻回し易くなっている。
【００３１】
釣り糸１への取付は、上記それぞれの実施形態と同様で、巻回部３０３ｂにも接触させた状態で掛止部３０３ａ間に形成された間隙３０３ａａに釣り糸１を導き、その後に間隙３０３ａａに輪ゴム４を入れて、一方の突出部分３５３ａの外側にまで弾性変形の限界内で輪ゴム４を引っ張って伸ばし、その延ばした輪ゴム４を巻回部３０３ｂに巻回し、巻回することにより残りの部分が短くなった輪ゴム４を他方の突出部分３５３ａに掛止する。
【００３２】
このような構成において浮力の調整をするには、魚の口の部分に対応する上端近傍に孔３０２ｈを形成しておき、その孔３０２ｈに例えば釣り糸を流用した取付糸３０２ｋを挿通し、中心を通って直径方向に貫通孔が設けられた球体のうき部材３０２ｍをその取付糸３０２ｋにより取り付ける構成が望ましい。また、全体形状が魚に似せてあるので、視覚的にも楽しむことができる。
【００３３】
この変形例では、板状部材によりうき本体と取付部材とを一体に形成したものを説明したが、主として取付糸及びうき部材とを除いたうき本体の部分を中空形状にしておき、内部に空気などを充填して浮力を増加させるように構成してもよい。
【００３４】
うき本体と取付部材とが一体に形成されていない、言い換えればうき本体と取付部材とが分離しており、使用時に結合するものの例としては、図７に示す釣り用具４００がある。すなわち、本発明の第四実施形態であるこの釣り用具４００の取付部材４０３は、例えば軽量合成樹脂製の板を加工して、掛止部４０３ａと巻回部４０３ｂと輪ゴム取付部４０３ｍとを備えるものである。取付部材は、図７の（ａ）に示すように、掛止部４０３ａを構成する一対の突出部分４３３ａと、その突出部分４３３ａの基端側に設けられる円孔４０３ｍａによる輪ゴム取付部４０３ｍと、突出部分４３３ａの基端側に連続するほぼキノコ型形状の巻回部４０３ｂとを備えている。それぞれの突出部分４３３ａは、対向する内側面４３３ａａがほぼ平行で、外側面４３３ａｂが基端側から下側に向けて相寄る方向に傾斜する形状に形成されている。輪ゴム取付部４０３ｍは、後述するうき本体４０２となる棒体４０２ａが挿入される孔でもある円孔４０３ｍａが、突出部分４３３ａの基端側で、かつ突出部分４３３ａ間の縁の近傍に設けてある。
【００３５】
又、巻回部４０３ｂは、突出部分４３３ａの基端側の幅とほぼ同じ幅の下端部分４０３ｂａとその下端部分４０３ｂａの幅より大なる幅の上端部分４０３ｂｂとからなり、下端部分４０３ｂａに輪ゴム４を巻回した場合に、上端部分４０３ｂｂの幅から輪ゴム４がはみ出さないようにしてある。この巻回部４０３ｂは、掛止部４０３ａ）に対して所定の角度例えば１２０°程度の角度をなして形成されている（図７の（ｂ））。言い換えれば、巻回部４０３ｂを鉛直方向に位置させた場合、掛止部４０３ａは所定の角度で前方下向きに傾斜した状態になる。これは、以下に説明するうき本体４０２を取付部材４０３に取り付けた状態で、巻回部４０３ｂがうき本体４０２と密着しやすくするためである。なお、巻回部４０３ｂの上端部分４０３ｂｂには、釣り糸１を挿通し得る小孔４０３ｂｃが形成してある。
【００３６】
このような構成の取付部材４０３に組み合わせるうき本体４０２としては、各種の形状のものが可能である。一例として、取付部材４０３の円孔４０３ｍａに挿入し得るように先細りにした棒材４０２ａがあり、この棒体４０２ａの細くした先端４０２ａａを円孔４０３ｍａに挿入し、輪ゴム４で釣り糸１とともに取付部材４０３に取り付けるものである。これに先立って、まず、輪ゴム４を円孔４０３ｍａに通し、円孔４０３ｍａを介して取付部材４０３の裏側に位置する輪ゴム４の部分を、取付部材４０３の表側に位置する輪ゴム４の部分の内側に挿入して、突出部分４３３ａの間に引き出す。これにより、輪ゴム４が突出部分４３３ａ間に巻き付けられて、取付部材４０３に固定される。
【００３７】
以上のようにして輪ゴム４を取付部材４０３に取り付けた後、上述のようにして棒体４０２ａを取付部材４０３にセットし、同時に釣り糸１を棒体４０２ａに沿わせておき、輪ゴム４を巻回部４０３ｂに巻回して、その端となる部分を突出部分４３３ａに掛止して、棒体４０２ａを取付部材４０３に固定するとともに釣り糸１に取付部材４０３を移動可能に取り付ける。なお、うき本体４０２は、その先端が円孔４０３ｍａに挿入されて輪ゴム４により取付部材４０３に結合するので、うき本体４０２が取付部材４０３に対して位置決めされ、したがって輪ゴム４を巻回する際にうき本体４０２と取付部材４０３との相対移動がほとんどなく、作業を容易にしている。なお、第四実施形態では、棒状のうき本体４０２を説明したが、このようなうき本体４０２に、第一実施形態のおいて説明した環状うき部材を併用するものであってよい。
【００３８】
また、取付部材４０３に組み合わせるうき本体５０２としては、図８に示すように、先端部分５０２ａに接続部材５０２ｂを備えたものであってよい。この場合、取付部材４０３は、巻回部４０３ｂの上端部４０３ｂａ分の小孔４０３ｂｃに接続部材５０２ｂを接続して、取付部材４０３に対してうき本体５０２が自由に位置を変更し得る構成である。
【００３９】
このように、上記それぞれの実施形態などと同様に、各種のうき本体を取付部材４０３に組み合わせることができ、釣り場の状況に応じて釣り用具を選択することができる。また、うき本体４０２を取付部材に取り付けるに際しては、釣り糸１を押さえ込む輪ゴム４により行うことができ、特別な取付のための材料を必要とせずに取り付けることができる。また、うき本体５０２に接続部材５０２２ｂを取り付けるものにおいては、その接続部材５０２ｂの部分で取付部材４０３に対するうき本体５０２の動きを自由にすることができる。
【００４０】
なお、本発明は上記それぞれの実施形態に限定されるものではなく、上述の各実施形態を適宜に組み合わせて構成するものであってよい。
【００４１】
うき本体と取付部材とが一体に形成されたものにおいて、掛止部を取付部材から外方に突出する突起により構成するものであってよい。このようなものにおいては、その突起に藻などが引っかかりやすいので、釣り糸に固定した際にその突起が露出しないように、例えばシリコン樹脂製の螺旋状に形成された弾性力を有するひも、あるいは弾性力を有する袋状のカバーなどで、その突起を覆うようにするものであってよい。
【００４２】
また、第二実施形態のもののように、うき本体あるいは取付部材が厚みのあるものの場合、使用時において釣り糸がうき本体あるいは取付部材の中心軸線に接近するように、案内溝などにより釣り糸が取付部材の下端部において中心軸線に接近させるものであってよい。
【００４３】
さらには、図９に示すように、釣り糸が取付部材の下端部の中心位置から垂下するように、上述したシリコン樹脂製の螺旋状に形成された弾性力を有するひもＳにより、釣り糸１を案内するものであってもよい。このひもＳは、その上端部分が取付部材５０３の下端に固定され、その下端部分が中心に向かって先細りに形成されて、取付部材５０３の中心軸方向に伸縮するものである。力を掛けない場合、このひもＳは、同図に示すように、螺旋状の各部分がほぼ接触した状態になっている。このように、ひもＳは、螺旋状であるので、釣り用具を釣り糸１に取り付けた後にその釣り糸１を螺旋状になっている隙間を介して内側の空間に導き入れることができる。しかも、その下端部分が中心に向かって先細りになっているため、ひもＳの内部から外側に出る際に、釣り糸１が取付部材５０３の中心位置から垂下する状態に保持されるものである。これにより、使用時において、釣り用具を安定させることができる。なお、同図において、取付部材５０３は、円柱形状をしており、その下側部分に巻回部５３３ｂが、またその巻回部５３３ｂの上側に掛止部５３３ａがそれぞれ設けてあり、上端部分には第一実施形態におけるうき本体の環状うき部材２ａを取り付けるための棒部材５０２ｂが設けてある。
【００４４】
その他、各部の具体的構成についても上記実施形態に限られるものではなく、本発明の趣旨を逸脱しない範囲で種々変形が可能である。
【図面の簡単な説明】
【００４５】
【図１】本発明の第一実施形態の斜視図。
【図２】同実施形態の使用状態を示す斜視図。
【図３】同実施形態の変形例を示す斜視図。
【図４】本発明の第二実施形態の斜視図。
【図５】同第二実施形態の使用状態を示す斜視図。
【図６】本発明の第三実施形態の斜視図。
【図７】本発明の第四実施形態の正面図及び側面図。
【図８】同第四実施形態の変形例を示す斜視図。
【図９】本発明の変形例を示す斜視図。
【符号の説明】
【００４６】
１…釣り糸
２…うき本体
３…取付部材
４…輪ゴム
３ａ…掛止部
３ｂ…巻回部
【図１】
2005261392.tif 000003
【図２】
2005261392.tif 000004
【図３】
2005261392.tif 000005
【図４】
2005261392.tif 000006
【図５】
2005261392.tif 000007
【図６】
2005261392.tif 000008
【図７】
2005261392.tif 000009
【図８】
2005261392.tif 000010
【図９】
2005261392.tif 000011